(57)【要約】【課題】糸または布地にマイナスイオンを付加して該糸または布地の風合いを変えることができる。【解決手段】マイナスイオン発生装置によるマイナスイオンを含む空気の雰囲気中に糸または布地を通し、この糸または布地に該マイナスイオンを付加させて風合いを処理する。【選択図】    図１
2004316032.tif 000002
【特許請求の範囲】
【請求項１】
マイナスイオン発生装置によるマイナスイオンを含む空気の雰囲気中に糸を通し、この糸に該マイナスイオンを付加させてなるを特徴とする糸の風合いの処理方法。
【請求項２】
マイナスイオン発生装置によるマイナスイオンを含む空気の雰囲気中に布地を通し、この生地に該マイナスイオンを付加させてなるを特徴とする布地の風合い処理方法。
【請求項３】
請求項１または２に記載の糸および布地の風合いの処理方法であって、糸および布地が天然繊維から構成されていることを特徴とする糸および布地の処理方法。
【請求項４】
請求項１または２に記載の糸および布地の風合いの処理方法であって、マイナスイオン発生装置がマイナスイオン発生機能を組込んだ乾燥機であることを特徴とする糸および布地の風合いの処理方法。
【請求項５】
請求項１または２に記載の糸および布地の風合いの処理方法であって、マイナスイオン発生装置がマイナスイオン発生機能を組込んだ加湿機であることを特徴とする糸および布地の風合いの処理方法。
【発明の詳細な説明】
【０００１】
【発明が属する技術分野】
本発明は、マイナスイオンを付加した糸および布地の風合いの処理方法に関するものである。
【０００２】
【従来の技術】
さて、一般に、糸および布地にあって、マイナスイオンを発生させるために、布帛を構成する繊維の表面にマイナスイオンを発生させるエネルギーを放射する例えば、モザナイト等の無機物の微粒子を付着せさてもの、また、布地の表面にマイナスイオンを発生させるトルマリンパウダ等を配合した合成樹脂塗料を塗布したものが案出されている。（例えば、特許文献１及び２参照）
【０００３】
【特許文献１】
特開平１０−１９５７６４号公報（［０００８］）
【特許文献２】
特開平１１−３５０３４２号公報（［００３３］）
【０００４】
【発明が解決しようとする課題】
しかしながら、上記したものは、いずれも布帛或いは布地のマイナスイオンを発生させるための物質を付着或いは塗布してそれ自体によりマイナスイオンを周囲に発生させるにとどまるものである。
そこで、本発明は、上記した従来の布帛或いは布地それ自体によりマイナスイオンを発生させるものとはことなり、糸または布地にマイナスイオンを付加して該糸または布地の風合いを変えることができる糸および布地の風合いの処理方法を提供することにある。
【０００５】
【課題を解決するための手段】
上記した課題を解決するために、請求項１に記載の発明は、マイナスイオン発生装置によるマイナスイオンを含む空気の雰囲気中に糸を通し、この糸に該マイナスイオンを付加させてなることを要旨とする。
この構成によれば、マイナスイオンを付加された糸においては、弾力性に富み、かつ滑りが良い品質の風合いの糸を得ることができる。
【０００６】
請求項２に記載の発明は、マイナスイオン発生装置によるマイナスイオンを含む空気の雰囲気中に布地を通し、この布地に該マイナスイオンを付加させてなることを要旨とする。
この構成によれば、マイナスイオンを付加された布地においては、上記した請求項１と同様に、弾力性に富み、かつ滑りが良い品質の風合いの布地を得ることができるとともに、しわができにくい風合いの布地を得ることができる。
【０００７】
請求項３に記載の発明は、請求項１または２に記載の糸および布地の風合いの処理方法であって、糸および布地が天然繊維から構成されていることを要旨とする。
この構成によれば、マイナスイオンを付加された天然繊維からなる糸および布地においては、糸および布地として上記請求項１および２に記載した弾力性に富み、かつ滑りが良い品質、しわができにくい品質の風合いが顕著に発揮できる。
【０００８】
請求項４に記載の発明は、請求項１または２に記載の糸および布地の風合いの処理方法であって、マイナスイオン発生装置がマイナスイオン発生機能を組込んだ乾燥機であることを要旨とする。
【０００９】
請求項５に記載の発明は、請求項１または２に記載の糸および布地の風合いの処理方法であって、マイナスイオン発生装置がマイナスイオン発生機能を組込んだ加湿機であることを要旨とする。
【００１０】
上記した請求項４および５に記載した構成によれば、糸または布地に対して簡単にマイナスイオンを付加することができる。
【００１１】
【発明の実施の形態】
以下、本発明を具体化した実施の形態を図にしたがって詳述する。
まず、布地にマイナスイオンを付加する風合いの処理方法について図１にしたがって説明する。
【００１２】
図１に風合いの処理ラインにおいて、既存の織機等により所定の幅に織り上げられた布地１をマイナスイオン発生機能を組込んだ加湿機２（本発明にいうマイナスイオン発生装置）におけるマイナスイオンを含む空気の雰囲気中に順次通し、該布地１に対して湿気状態でのマイナスイオンを付加する。
【００１３】
ついで、前記加湿機２を通過した布地１を各ガイドロール３、４を介して既存のテンター５に移送し、該テンター５からガイドロール６、既存のフェルト７を介して所望の巻取りロール（図示しない）等に巻き取られるものである。
【００１４】
そして、上記テンター５において、該テンター５の外周に対向して配置されたマイナスイオン発生機能を組込んだ乾燥機８（本発明にいうマイナスイオン発生装置）により、該テンター５の外周上を移送される布地１に対して乾燥状態の雰囲気中でのマイナスイオンを付加する。
【００１５】
このように、湿気状態でのマイナスイオンおよび乾燥状態の雰囲気中でのマイナスイオンをそれぞれ付加して風合いを処理された布地においては、この付加されたマイナスイオンの影響、例えば、一定の水分を保つ保水性が発揮されることによって、弾力性に富みかつ滑りが良い品質で、しかも、しわができにくい品質の風合いの布地を簡単に得ることができる。
【００１６】
なお、上記した実施の形態において、マイナスイオン発生機能を組込んだ乾燥機８にあっては、布地１に対して外側から乾燥状態の雰囲気中でのマイナスイオンを付加するようになしたが、加湿機２と同様に周辺を囲って乾燥状態の雰囲気を形成し、この乾燥状態の雰囲気中に布地１を通してマイナスイオンを付加するようにしてもよく、また、布地に対して湿気状態でのマイナスイオン、乾燥状態でのマイナスイオンを付加するようにしたが、積極的に加湿、乾燥しない自然の空気の雰囲気中でのマイナスイオンを付加するようにすることもできる。
【００１７】
また、上記した実施の形態において、布地１をとくに、天然繊維からなる材質の糸を使用した場合は、布地として上記した弾力性に富み、かつ滑りが良い品質、しわができにくい品質の風合いが顕著に発揮できる。
【００１８】
つぎに、糸にマイナスイオンを付加する風合いの処理方法については、既存の糸の製造工程中に、前述したマイナスイオン発生機能を組込んだ加湿機２（本発明にいうマイナスイオン発生装置）またはマイナスイオン発生機能を組込んだ乾燥機８（本発明にいうマイナスイオン発生装置）を配置し、この製造工程中における糸に対し、マイナスイオン発生機能を組込んだ加湿機２によって湿気状態でのマイナスイオンを付加するとともに、マイナスイオン発生機能を組込んだ乾燥機８によって乾燥状態の雰囲気中でのマイナスイオンを付加するものである。
【００１９】
このように、湿気状態でのマイナスイオンおよび乾燥状態の雰囲気中でのマイナスイオンをそれぞれ付加して風合いを処理された糸においては、この付加されたマイナスイオンの影響、例えば、一定の水分を保つ保水性が発揮されることによって、弾力性に富みかつ滑りが良い品質の風合いの糸を簡単に得ることができる。
【００２０】
なお、この実施の形態においても、上述した実施の形態と同様に、糸に対し湿気状態でのマイナスイオン、乾燥状態でのマイナスイオンを付加するようにしたが、積極的に加湿、乾燥しない自然の空気の雰囲気中でのマイナスイオンを付加するようにすることもできる。
【００２１】
また、この実施の形態においても、上述した実施の形態と同様に、糸をとくに、天然繊維とした場合は、糸として上記した弾力性に富み、かつ滑りが良い品質の風合いが顕著に発揮できる。
【００２２】
なお、前述した両実施の形態において、マイナスイオン発生機能を組込んだ乾燥機８として、通常の洗濯物を乾燥するための乾燥機にマイナスイオン発生機能を組込んだ乾燥機を利用すること、マイナスイオン発生機能を組込んだヘヤードライヤを利用することもできる。
【００２３】
【発明の効果】
請求項１に記載の発明では、マイナスイオンを付加された糸においては、弾力性に富み、かつ滑りが良い品質の風合いの糸を得ることができる。
【００２４】
請求項２に記載の発明では、マイナスイオンを付加された布地においては、弾力性に富み、かつ滑りが良い品質の風合いの布地を得ることができるとともに、しわができにくい風合いの布地を得ることができる。
【００２５】
請求項３に記載の発明では、上記請求項１および２に記載した品質の風合いが顕著に発揮できる。
【００２６】
請求項４および５に記載の発明では、糸または布地に対して簡単にマイナスイオンを付加することができる。
【図面の簡単な説明】
【図１】本発明の実施の形態を示す風合い処理方法の説明図である。
【符号の説明】
１  布地
２  加湿機
８  乾燥機
【図１】
2004316032.tif 000003